(57)【要約】【課題】受け具側でスライドボックスの位置調整をしなくてもよいこと。【解決手段】扉側の錠箱に軸支されかつ戸枠側の受け具の受止面に係合可能なガタツキ防止部材と、このガタツキ防止部材の内端部に形成した連続する複数個の被係合部分のいずれかに選択的に係脱する係合部分を有すると共に錠箱内に軸支されたストッパーと、ガタツキ防止部材の突出外端部を受け具の受止面に当たる方向へと常時付勢する付勢手段を備え、ガタツキ防止部材は、受け具の中心線Ｏの位置に対して、錠箱の中心線Ｏ１の位置がずれ、かつ、受け具の受止面で前記突出外端部が押圧されて水平方向に回転した場合に、ガタツキ防止部材の被係合部分に対するストッパーの係合部分の位置が自動的に変わる扉のガタツキ防止装置。【選択図】図３
2008121276.tif 000002
【特許請求の範囲】
【請求項１】
扉側の錠箱に軸支され、かつ、戸枠側の受け具の受止面に係合可能なガタツキ防止部材と、このガタツキ防止部材の内端部に形成した連続する複数個の被係合部分のいずれかに選択的に係脱する係合部分を有すると共に錠箱内に軸支されたストッパーと、ガタツキ防止部材の突出外端部を受け具の受止面に当たる方向へと常時付勢する付勢手段を備え、前記ガタツキ防止部材は、受け具の中心線Ｏの位置に対して、錠箱の中心線Ｏ１の位置がずれ、かつ、受け具の受止面で前記突出外端部が押圧されて水平方向に回転した場合に、ガタツキ防止部材の被係合部分に対するストッパーの係合部分の位置が自動的に変わることを特徴とする扉のガタツキ防止装置。
【請求項２】
請求項１に於いて、ガタツキ防止部材の被係合部分は、段差状或いは傾斜状に形成され、かつ、少なくとも「施錠状態の１」の時に係合する中心部側の第１被係合部分と、「施錠状態の２」の時に係合する一側外面側の第２被係合部分とを含むことを特徴とする扉のガタツキ防止装置。
【請求項３】
請求項３に於いて、第２被係合部分又は該第２被係合部分に係合するストッパーの係合部分のいずれかが、段差状或いは傾斜状に形成されていることを特徴とする扉のガタツキ防止装置。
【請求項４】
請求項１に於いて、ガタツキ防止部材は、ユニット的な可動部材を介して上下方向に重ねるように二枚配設され、これら二枚のガタツキ防止部材の突出外端部の角度は、鋏揺動自在に変わることを特徴とする扉のガタツキ防止装置。
【請求項５】
請求項１に於いて、錠箱には山形状の係止手段５１が設けられていることを特徴とする扉のガタツキ防止装置。
【発明の詳細な説明】
【技術分野】
【０００１】
本発明は、扉のガタツキ防止装置に関する。
【背景技術】
【０００２】
特許文献１や特許文献２には、ドアを閉鎖した際にドア側のラッチ（仮施錠片）を受けるようにした受け具において、戸当りとドアとの間にすき間が出来ないようにする調節が可能で、しかもドアに開き方向の大きな力が加わっても、調節した状態を堅く保持できる受け具が提案されている。このラッチ用受け具の基本的構成は、トロヨケと称されるケースと、ストライクと称されるカバー状基板と、前記ケースに調整可能に内装され、かつ、ラッチの係合面に対する受止面を有するスライドボックスと、このスライドボックスの底面及び前記ケースの底面に亘って設けられた多角形の回動式調節板とから成る。
【０００３】
一方、特許文献３の図５及び図６には、ドアを閉鎖した際にドア側のデッドボルト（本施錠片）を受けるようにした受け具において、戸当りとドアとの間にすき間が出来ないようにするために、「ケース内に受止面を有するスライドボックスを内装し、スライドボックスの一側外面とケースの対向内面との隙間に板材を切断して交差状に形成した板ばねを配設する事項」が記載されている。
【０００４】
特許文献１乃至特許文献３に記載の各実施例のように、従来は、仮施錠片であれ、本施錠片であれ、扉の閉鎖時におけるガタツキを防止するために、「トロヨケ内にスライドボックスを設けると共に調整手段を適宜に配設し、施錠片の垂直係合面（側面）が該スライドボックスの受止部に接触するように構成」している。
【０００５】
したがって、従来の実施例は、受け具の構成が複雑となる、戸当りとドアとの間にすき間が出来ないようにスライドボックスの位置や大きさを、調整手段を介して適宜に設定する必要性がある、といったような問題点を有していた。
【特許文献１】特開平７−１５８３２５号公報
【特許文献２】実公平６−４９７８０号公報
【特許文献３】特開平８−１３５７９３号公報
【発明の開示】
【発明が解決しようとする課題】
【０００６】
本発明の所期の目的は、従来の実施例の問題点を解消することである。すなわち、シンプルな受け具の使用が可能であり、しかも、受け具側でスライドボックスの位置調整をしなくても、例えば錠前を含む建具（扉）を戸枠に取付けることによって、受け具の中心位置と錠前の錠箱のそれとの位置誤差が発生した場合、或いは室内外の温度差に起因する扉の一時的変形（反り）によって間隙が発生した場合に於いて、建具の位置誤差や建具の一時的変形に起因する戸当りとドアとのガタツキを、戸枠側の受け具に対する建具側の錠前に設けたガタツキ防止装置によって自動的に解消することである。第２の目的は、ガタツキ防止装置のガタツキ防止部材に、デッド的機能を持たせることである。
【課題を解決するための手段】
【０００７】
本発明の扉のガタツキ防止装置は、扉側の錠箱に軸支され、かつ、戸枠側の受け具の受止面に係合可能なガタツキ防止部材と、このガタツキ防止部材の内端部に形成した連続する複数個の被係合部分のいずれかに選択的に係脱する係合部分を有すると共に錠箱内に軸支されたストッパーと、ガタツキ防止部材の突出外端部を受け具の受止面に当たる方向へと常時付勢する付勢手段を備え、前記ガタツキ防止部材は、受け具の中心線Ｏの位置に対して、錠箱の中心線Ｏ１の位置がずれ、かつ、受け具の受止面で前記突出外端部が押圧されて水平方向に回転した場合に、ガタツキ防止部材の被係合部分に対するストッパーの係合部分の位置が自動的に変わることを特徴とする。
【発明の効果】
【０００８】
本発明は、シンプルな受け具の使用が可能であり、しかも、受け具側でスライドボックスの位置調整をしなくても、例えば建具の施工に伴う受け具と建具の位置誤差、或いは室内外の温度差に起因する建具の一時的変形（反り）によって発生する戸当りとドアとのガタツキを、戸枠側の受け具に対する建具（扉側）の錠前に設けたガタツキ防止装置によって自動的に解消することができる。
【発明を実施するための最良の形態】
【０００９】
以下、図１乃至図１５に示す本発明の最良の一例を「電気錠」に適用して説明する。
【００１０】
（１）発明の実施の環境
図１は本発明の主要部を含む電気錠の概念図である。まず、図１及び図２を参照にして、電気錠の主な構成部材と作動態様の流れを簡単に説明する。電気錠Ｘは、錠箱１内に制御部２、駆動モータ３、クラッチ機構を含む動力伝達手段４、ダルマ５、デッドボルト６等が設けられている。なお、図２では、制御部２、駆動モータ３、クラッチ機構を含む動力伝達手段４等の具体的構成は、本発明の特定要件ではないので、割愛している。
【００１１】
周知のように、デッドボルト６は、駆動モータ３の駆動力により、錠箱１のフロント７を基準にして戸枠側の受け具８へと前進する。施錠時、錠箱１のフロント７から突出したデッドボルト６は受け具８に係合し、一方、扉Ｄを開く際の解錠時、デッドボルト６は錠箱１内へと後退し始め、完全解錠時には、デッドボルト６の先端面は、フロント７の外面に位置する。
【００１２】
ところで、後述する受け具の中心線の位置に対して、錠前を含む建具（扉）の取付け位置の誤差、或いは室内外の温度差により扉が反ると、建具の錠箱の位置が室内又は室外へずれることになる。そのために、受け具側の受止部と施錠片やガタツキ防止片の係合面との間に隙間が生じることから、戸当りとドアとの間にすき間ができ、その結果、扉がガタツク。
【００１３】
そこで、本実施例の電気錠Ｘは、例えば受け具側でスライドボックスの位置調整をしなくても、例えば施工時における建具の取付け位置誤差、或いは室内外の温度差に起因する扉の一時的変形（反り）によって発生する戸当りとドアとのガタツキを、戸枠側の受け具８に対する扉側の錠前Ｘに設けたガタツキ防止装置Ｙによって解消する。
【００１４】
すなわち、図２で示すように、ガタツキ防止部材１２を備えた可動部材２１、３１、３５をデッドボルト６の下方に併設的に配設し、ユニット的に構成された可動部材２１、３１、３５は、施錠時、デッドボルト６に固定的に設けた突出入力片１１を介して押し出され、その結果、可動部材の前側に位置するガタツキ防止部材１２は、フロント７から突出して受け金具８に係合する。そして、本実施例では、さらに、可動部材及びガタツキ防止部材１２と共にガタツキ防止装置Ｙを構成するストッパー４１，４１Ａは、施工時における建具の取付け位置誤差、或いは室内外の温度差に起因する扉の一時的変形（反り）如何により、ガタツキ防止部材１２に対する係合（施錠）位置が変わる。
【００１５】
一方、解錠時、ストッパー４１，４１Ａは、デッドボルト６の後退を条件としてガタツキ防止部材１２の動きを許容する。本実施例では、前述したストッパーは、錠箱側の係止手段に係合する第２被係合部を有し、この第２被係合部は、閉扉時、錠箱に直接又は間接的に設けた係止手段５１の係止端面５１ｂに係止される反面、デッドボルト６が後退した時には、入力片１１を介して前記係止端面５１ｂから離れ、その後に、ガタツキ防止部材１２を備える可動部材２１、３１、３５は、錠箱１内に設けた可動部材戻し用の付勢手段４９のバネ力により後退する。
【００１６】
（２）入力片１１
まず、図３は施錠時におけるデッドボルト６とガタツキ防止部材１２の突出状態等を示す概略説明図である。この図３を説明の便宜上「正面側」とする。図４は図３を基準とする「底面側」からの概略説明図である。図４は底面側からの説明図であるから、ここでは符号１２ａは手前の見える第１ガタツキ防止部材とし、一方、符号１２ｂは向こう側に見える第２ガタツキ防止部材とする。したがって、図４では第１ガタツキ防止部材１２ａと第２ガタツキ防止部材１２ｂの突出外端部の各下面が交差状に見えている。
【００１７】
図３で示すように、本実施例のガタツキ防止部材１２は、進退動可能な可動部材２１、ホルダー３１等を介して上下方向に重ねるように二枚配設され、これら二枚のガタツキ防止部材１２ａ、１２ｂの突出外端部の角度は、鋏揺動自在に変わる。
【００１８】
次に、図６の（ａ）は入力片１１の正面図、（ｂ）はその斜視図である。入力片１１は、その上端部１１ａは複数個の不番の固定具を介してデッドボルト６の側壁６ａの中央部に固定され、一方、中央部１１ｂの折り曲げ部分に連設する突出端部（下端部）１１ｃは、デッドボルト６の下面（側壁の一つ）から垂直状態に突出している。
【００１９】
しかして、前記突出端部１１ｃの幅広端部の左右部位（先端部と後端部）には、折り曲げて形成された合計２個の押圧式入力部（係合部）１３，１４が設けられている。ここでは、図６の（ａ）を基準にして、左側の符号１３を前入力部（ストッパー解錠用）とし、一方、右側の符号１４を後入力部（施錠状態移行用）とする。
【００２０】
前記前入力部１３は、解錠時或いは解錠の途中に、デッドボルト６が「所定の後退条件」を満たしたときに上側に位置するストッパー（実施例では第１のストッパー４１）の第１被係合部４４に係合して、該第２被係合部４６ａを錠箱１に設けた係止手段５１の係止端面５１ｂ（後述）から離す。一方、前記後入力部１４は、施錠時、ストッパー４１の第１被係合部４４或いは可動部材（可動ベース板）２１の係合突起に係合（本実施例）して、可動部材２１をフロント７側へと押し出す。その結果、ガタツキ防止部材１２がフロント７から突出する。
【００２１】
（３）扉のガタツキ防止装置Ｙの特徴
扉のガタツキ防止装置Ｙは、扉側の錠箱１内に水平移動可能に配設された可動部材を構成する可動ベース板２１と、該可動ベース板２１に一体的に設けられたホルダー３１と、前記可動ベース板２１に一体的に設けられた水平支持板３５を含み、前記ホルダー３１に垂直軸（突起軸）１８を介して軸支され、かつ、戸枠側の受け具８の受止面８ａ、８ｂに係合可能なガタツキ防止部材１２と、このガタツキ防止部材の内端部に形成した連続する複数個の被係合部分１９ａ、１９ｂのいずれかに選択的に係脱する係合部分を有すると共に、前記可動ベース板２１に軸支された一組のストッパー４１，４１Ａと、ガタツキ防止部材１２の突出外端部を受け具８の受止面８ａ、８ｂに当たる方向へと常時付勢する複数個の付勢手段１５を備えている。
【００２２】
そして、前記ガタツキ防止部材１２は、前記受け具８の中心線Ｏの位置に対して、例えば建具施工時の取付け位置の誤差、或いは建具の取付け位置の誤差がなくても一時的な扉の反りによって前記錠箱１が室内ＩＮ又は室外ＯＵＴへずれ、かつ、受け具８の受止面８ａ、８ｂで突出外端部が押圧され得る状態になった場合に前記付勢手段１５のバネ力に抗して回転し、ガタツキ防止部材１２の被係合部分１９ａ、１９ｂに対するストッパー４１，４１Ａの係合位置（第２実施例）が、又はストッパー４１，４１Ａの係合部分４５に対するガタツキ防止部材１２の被係合部分１９ａ、１９ｂの係合位置（第１実施例）が変わる。
【００２３】
（４）ガタツキ防止部材１２
ガタツキ防止部材１２は、デッドボルト６に対してサブの施錠機能と側圧対策機能を有している。図７の（ａ）、（ｂ）、（ｃ）は、ガタツキ防止部材１２の一例（例えば第１ガタツキ防止部材１２ａ）を示す各概略説明図である。なお、第２ガタツキ防止部材１２ｂも同一構成なので、第１ガタツキ防止部材１２ａの説明を援用する。
【００２４】
さて、図７の（ａ）は、第１ガタツキ防止部材１２ａの一側外面（下面）１６が見えるように示した斜視図、また、図７の（ｂ）は、Ａ矢印（下面）側から見た説明図、さらに、図７の（ｃ）は、Ｂ矢印（内端面）側から見た説明図である。したがって、図７の（ｃ）を基準にすると、符号１６は一側下面、符号１７は一側上面ということになる。
【００２５】
図７に於いて、１８は半柱状中央部の部分の両側外面（図３では下面と上面）に設けられた突起軸で、ここではこの突起軸１８を基準にして、左側の指先形状の部位を突出外端部、一方、右側の切欠部分の部位を内端部とする。
【００２６】
図７の（ｃ）で示すように第１ガタツキ防止部材１２ａの内端部の一側下面１６と一側上面１７には、それぞれ切欠部が形成されている。しかして、一側下面１６の不番の切欠部分には、連続する複数個の被係合部分１９ａ、１９ｂが形成されている。
【００２７】
一つの第１被係合部分１９ａは、図７の（ｃ）を基準にすると、内端部中央の仕切り壁２０と直交する奥側の水平状係合面（切欠凹所も含む）である。そして、もう一つの第２被係合部分１９ｂは奥側の水平状係合面１９ａから一側下面１６に至るまで下り坂状に形成された手前側の傾斜面である。図７の（ｂ）を基準にすると、手前側の傾斜面１９ｂは手前側から上り坂の傾斜状に見え、一方、被係合部分１９ｂに稜線ａを介して連続する水平状係合面１９ａは、やや右上がりの直線に見え、さらに、仕切り壁２０の垂直面２０ａが見える。
【００２８】
後述するストッパー４１Ａの係合部分４５は、ガタツキ防止部材１２のこれらの被係合部分１９ａ、１９ｂに対して、受け具８の中心線Ｏから錠箱１の中心線Ｏ１の位置ズレに対応して選択的に係脱する。ここでは、図３及び図４の係合状態を「施錠状態の１」の時とする。
【００２９】
図３では、上下方向に交差状に並列する奥側の水平状係合面１９ａにストッパー４１Ａの係合部分４５が第１ガタツキ防止部材１２ａの奥側の第１被係合部分１９ａに係合している場合を示している。この施錠状態の１の時には、図４で示すように、上下のガタツキ防止部材１２ｂ、１２ａの突出外端部の開き角度は「施錠状態の２」のときよりも大きい。
【００３０】
付言すると、上下のガタツキ防止部材１２ｂ、１２ａは、その突出外端部が外に広がるようにその付勢手段１５のバネ力により外方向に付勢されている。一方、上下のストッパー４１、４１Ａは、仮想線で示すその付勢手段４８のバネ力により、係合部（ストッパー部）４５がガタツキ防止部材１２ｂ、１２ａの被係合部１９ａ、１９ｂに係合する方向にそれぞれ付勢されている。上下のストッパー４１、４１Ａの係合部（ストッパー部）４５がガタツキ防止部材１２ｂ、１２ａの被係合部１９ａ、１９ｂのいずれの位置に係合（施錠）するかは、受け具８の中心線Ｏと錠箱１の中心線Ｏ１の位置とが一致するか否かによる。
【００３１】
ここで、「施錠状態の２」とは、図８及び図９の係合状態をいう。すなわち、施錠状態の２は、例えば室内外の温度差に起因する扉の一時的変形（反り）によって、錠箱１の中心線Ｏ１の位置が受け具８の中心線Ｏからズレた場合である。図９では、例えば錠箱１の中心Ｏ１が受け具８の中心Ｏよりも室外ＯＵＴ側へズレた場合を示す。このような場合には、ストッパー４１Ａの係合部分４５の係合（施錠）位置は、ガタツキ防止部材用の付勢手段１５のバネ力に抗して、第１被係合部分１９ａから第２被係合部分１９ｂへと移行（変位）する。この時、上下のストッパー４１、４１Ａは、それらの付勢手段４８のバネ力に抗して若干外拡変位する。
【００３２】
付言すると、図９で示すように錠箱１が室外（又は室内）へズレた時、受け具８の受止面８ａ（又８ｂ）で第１ガタツキ防止部材１２ａの突出外端部が押圧されかつ回転しようとするので、建具の反り具合に対応して、第１ガタツキ防止部材１２ａは垂直軸（突起軸）１８を支点に水平方向に回転し、ストッパー４１Ａの係合部分４５に対するガタツキ防止部材１２の第１被係合部分１９ａの係合位置が第２被係合部分１９ｂへと自動的に位置変位する。その結果、図４と図９を対比すると明らかなように、上下のガタツキ防止部材の突出外端部の開き角度は「施錠状態の１」のときよりも小さくなる。
【００３３】
それ故に、本発明では、シンプルな受け具８の使用が可能であり、しかも、受け具側でスライドボックスの位置調整をしなくても、戸枠側の受け具８に対する扉側の錠前Ｘに設けたガタツキ防止装置Ｙによって、受け具８の受止面（８ａ又は８ｂ）とガタツキ防止部材１２の垂直係合面との間隙を自動的に解消することができる。
【００３４】
（５）可動部材−可動ベース板２１
ガタツキ防止装置Ｙは、可動部材として、可動ベース板２１、ホルダー３１、水平支持板３５を含み、これらの各部材２１，３１、３５はユニット的に一体化されている。そして、可動部材は錠箱に直接（実施例）又は間接的に案内される。
【００３５】
図４及び図９では、錠箱１内に一組の可動ベース板２１がそれぞれ対向状態に組み込まれている状態を断面で示している。付言すると、図４、図９は施錠時における可動ベース板２１の前進位置、一方、図１０は解錠途中状態から完全解錠状態における可動部材（例えば可動ベース板２１）の後退位置をそれぞれ示す。
【００３６】
また、図１１は、錠箱１の一側壁（例えばケース身の幅広側壁）１ａの案内部分に案内されて水平方向へ移動する第１可動ベース板２１ａを示している。具体的に図示しないが、錠箱１の他側壁（例えばケース蓋の幅広側壁）１ｂの案内部分に案内されて水平方向へ移動する第２可動ベース板２１ｂの構成も第１可動ベース板２１ａと同様である。
【００３７】
図１１を参照にして第１可動ベース板２１ａを説明する。なお、第２の可動ベース板２１ｂは、例えばスペーサー軸用の案内長孔２４の位置が相違するものの、第１可動ベース板２１ａと同一或いは同様の構成であるから、便宜上第１可動ベース板２１ａに関する説明を援用する。
【００３８】
２２は可動ベース板２１ａ（２１ｂ）の先端部の中央部に突出形成されたスライド係合部で、このスライド係合部２２は、図１２で示す錠箱１の一側壁１ａの錠箱側案内部分（例えば水平切欠部）５５に係合する。２３は可動ベース板２１ａの上辺に突出形成した係合受け突起で、この係合受け突起２３はデッドボルト側の後入力部１４と係合可能である。
【００３９】
２４は錠箱の側壁に固定的に設けられたスペーサー軸２５に係合する水平案内長孔である。２６は可動ベース板２１ａの後端部の上下にそれぞれ形成された短筒状軸部或いは軸孔で、これらの軸孔２６には上下一対の横軸２８（ストッパー用の支軸）が取付けられる。２７は可動ベース板２１ａの後端部の中央部に突出形成されたバネ端支持部である。２９は水平支持板用の嵌合部（例えば水平溝）である。その他可動ベース板２１ａには結合用部分（例えば連結用切欠）が適宜に形成されている。
【００４０】
（６）ガタツキ防止部材用ホルダー３１
次に、図１３はガタツキ防止部材（サブの施錠片）用ホルダー３１を示す。前述したように、可動部材は、可動ベース板２１ａ（２１ｂ）に複数個の差込み突起３２を介して合体する（一体的に設けられる）ガタツキ防止部材用ホルダー３１を含んでいる。ガタツキ防止部材用ホルダー３１は、前壁、後壁等に切欠部分を有するコ字形状の支持片である。
【００４１】
しかして、ホルダー３１は、基本的には上下の水平対向壁３１ａと、これらの水平対向壁３１ａを連結する垂直後壁３１ｂとから成り、前記水平対向壁３１ａの先端部側には水平の差込み突起３２及び垂直軸１８用のガイド凹所３３が、また、水平対向壁３１ａの中央部から垂直後壁３１ｂにかけてＬ形状のストッパー用切欠３４がそれぞれ形成されている。
【００４２】
（７）水平支持板３５
可動部材を構成する水平支持板３５は、可動ベース板２１ａの嵌合部（水平溝）２９を介して該可動ベース板２１ａに交差状態に結合する。図１４は水平支持板３５の一例を示す。水平支持板３５は、先端部寄りの部位に垂直軸１８用のガイド凹所３６を一対有している。また、上面と下面に上下の付勢手段１５をそれぞれ支持する突起軸３７を有している。
【００４３】
（８）ストッパー４１，４１Ａ
次に、図１５の（ａ）は、入力片１１に直接係合する第１のストッパー４１、図１５の（ｂ）は第１のストッパー４１を介して前記入力片１１に間接的に係合する第２のストッパー４１Ａを示す。
【００４４】
第１及び第２のストッパー４１、４１Ａは、前述した可動ベース板２１ａ（２１ｂ）に上下一対の横軸２８を介してそれぞれ軸支され、かつ、互いに同期して連動するように構成されている。
【００４５】
図１５の（ａ）参照にして第１のストッパー４１を説明する。なお、第２のストッパー４１Ａは、第１のストッパー４１と同一或いは同様の構成であるから、便宜上同一の符号を付して重複する説明を省略する。
【００４６】
符号４３は垂直部分で、この垂直部分４３の突起状上端部は、入力片１１の後入力部１４と係合する被係合部４４の機能を有する。
【００４７】
また、符号４５は垂直部分４３に不番の折り曲げ部分を介して前方側に延びる包丁形状の係合部分（ストッパー部）で、この係合部分４５はガタツキ防止部材ホルダー３１の長い切欠部３４に入り込み、前述したように中心線Ｏ、Ｏ１が一致するか否かによって、ガタツキ防止部材１２の被係合部分１９ａ、１９ｂと選択的に係脱する。
【００４８】
さらに、符号４６ａは前記ストッパー部４５の上辺（第２のストッパー４１Ａでは図面上下辺）に羽状に突出する突出部分４６の一部（例えば先端部）に形成された小突起状第２被係合部で、この第２被係合部４６ａは、閉扉時、錠箱１に直接又は間接的に設けた係止手段５１の係止端面５１ｂに係止され、一方、デッドボルトが完全に後退した時には、入力片１１を介して前記係止端面５１ｂから離れる（図１２参照）。なお、符号４８はストッパー４１，４１Ａ用の付勢手段で、これらの付勢手段４８は上下の横軸２８に中央部がそれぞれ巻装され、各ストッパー４１，４１Ａのストッパー部４５がそれぞれガタツキ防止部材に係合する方向へ付勢する。
【００４９】
また、符号４９は可動部材用の付勢手段であり、本実施例では、錠箱１の下端部に設けた固定軸５０に巻装され、一端部は錠箱１の内壁に圧接し、その他端部は、例えば可動ベース板２１のバネ端支持部２７に係合している。本実施例の可動部材用の付勢手段４９は、錠箱１の係止端面５１ｂからストッパー４１、４１Ａの各第２被係合部４６ａが離れた瞬間、可動部材を引き戻す。その結果、可動部材に常に捕捉されているガタツキ防止部材１２は、図１０で示すように錠箱１内に完全に入り込む。
【００５０】
（９）係止手段の係止端面
図１２は錠箱１に直接形成した係止手段５１の一例を示す。係止手段５１は錠箱１の一側壁１ａと他側壁１ｂの内面にそれぞれ傾斜面と係止端面を有する山形状の突起片を固定することによっても達成することができるが、本実施例では、前記一側壁１ａと他側壁１ｂに直接形成している。
【００５１】
すなわち、５２は上下一対の水平案内切欠部で、この水平案内切欠部５２の先端部側に傾斜面５１ａと、係止端面５１ｂを有する山形突起５１を設けている。本実施例では、可動式のガタツキ防止部材１２を採用していることから、施錠時、ガタツキ防止部材１２が後退して受け金具８から外れないように係止手段５１の係止端面５１を介してストッパー４１，４１Ａの各第２被係合部４６ａを係止する。
【００５２】
一方、デッドボルト６が所定の後退条件を満たしたときには、換言すれば、デッドボルト６が錠箱１内に完全に後退した完全解錠位置であるときは、上下のストッパー４１，４１Ａは、デッドボルト６側の入力片１１の前入力部１３を介して所要量回転することから、各第２被係合部４６ａは各係止端面５１ｂから離れる。その結果、前述したように、ガタツキ防止部材１２は可動部材戻し用の付勢手段４９及び可動部材を介して錠箱１内に自動的に引っ込む。
【実施例】
【００５３】
発明の実施の形態で示した実施例に於いて、ガタツキ防止部材の内端部に形成した第２被係合部分１９ｂは傾斜状に形成されているが、ストッパーの係合部分（ストッパー部分）４５の方を傾斜状に形成しても良い。また、可動部材戻し用の付勢手段４９は、可動部材を構成する可動ベース板２１に設けたバネ端支持部２７を介して引き戻しているが、上下のストッパー４１，４１Ａの適宜箇所に係止させて戻すこともできる。
【００５４】
さらに、上下のストッパー４１，４１Ａの連動構成に関しては、係合突片以外に、他の連係手段（垂直長孔、連結軸）を用いることもできる。なお、錠箱１の幅広の対向側壁１ａ、１ｂには、図１０で示すようにガタツキ防止部材１２をスムースに案内するための短軸状のスペッサー軸２５（新規事項）が設けられているが、このスペッサー軸２５は、発明の限定要件ではない。
【００５５】
次に、図１６にガタツキ防止部材の第２実施例を示す。説明の便宜上第1実施例と同一の符号を用いる。重複する説明は割愛する。
【００５６】
図１６の（ａ）、（ｂ）及び（ｃ）は、図７の（ａ）、（ｂ）及び（ｃ）に相当する。特に図１６の（ｃ）と図７のそれとを比較すると明らかなように、第２実施例のガタツキ防止部材１２ａ（ガタツキ防止部材１２ｂも同じ）の被係合部１９ａ、１９ｂの連続関係は、傾斜状ではなく、段差或いは階段状に形成されている。
【００５７】
この第２実施例では、特に、建具施工時の取付け位置の誤差に起因して、例えば図９で示すように錠箱１が室外ＯＵＴへずれ、その結果、受け具８の受止面８ａ、８ｂで第１ガタツキ防止部材１２ａの突出外端部が押圧され得る状態になった場合に於いて、第１ガタツキ防止部材１２ａが垂直軸１８を支点にして、かつ、その付勢手段１５のバネ力に抗して角度を狭める方向（図９では矢印方向）へ若干回転した場合に、第１ガタツキ防止部材１２ａに対するストッパー４１Ａ（ストッパー４１の場合も同様）の係合位置が、第1被係合部１９ａではなく、第1被係合部１９ｂの方に変わる。
【００５８】
付言すると、第２実施例では、建具施工時の当初から図９で示すように左右の中心線ＯとＯ１が不一致であることから、まず、扉の閉戸時、受け具８の受止面８ａに対するガタツキ防止部材１２ａ（ガタツキ防止部材１２ｂも同じ）の当り具合によって、第１・第２ガタツキ防止部材１２ａ、１２ｂ同士の角度を自動的に決め（受け具側の間隙を調整しなくても）、次に、角度が設定されている第１・第２ガタツキ防止部材１２ａ、１２ｂの複数個の被係合部１９ａ、１９ｂのいずれかにストッパーの係合部分（ストッパー部）４５を係合させることにしている。
【００５９】
そのために、扉の閉戸時に可動部材２１，３１，３５を介してフロント７から突出したガタツキ防止部材１２ａ、１２ｂのいずれかが、受け具８の受止面８ａ、８ｂのいずれかに押圧されて水平方向に回転した後に、ガタツキ防止部材の被係合部分１９ａ、１９ｂに対するストッパーの係合部分４５の位置が自動的に変わる。
【００６０】
なお、図１２で示すように錠箱１には山形状の係止手段５１が設けられていることから、上下のストッパー４１，４１Ａは、施錠時、前記係止手段５１の先端部側に傾斜面５１ａを乗り越えする際に各付勢手段４８のバネ力に抗して互いに外方向へ開き、完全施錠位置にて（係止手段５１を乗り越えた後に）、自動的に位置決めされているガタツキ防止部材１２ａ、１２ｂの被係合部１９ａ、１９ｂのいずれかに係合する。
【００６１】
したがって、前記被係合部１９ａ、１９ｂの連続関係は、１段式、２段式、３段式という具合に多段式に形成することもできる。或いはストパー４１，４１Ａの係合部分４５の方を段差或いは階段式に形成することも可能である。
【産業上の利用可能性】
【００６２】
本発明は、主に錠前や建具の業界で利用される。
【図面の簡単な説明】
【００６３】
図１乃至図１５は本発明の最良の実施例（第１実施例）を示す各説明図。図１６は本発明の要部の第２実施例を示す説明図。
【図１】本発明の環境を示す概念図。
【図２】施錠時における説明図。
【図３】施錠時における概略断面図（特に、施錠状態の１）。
【図４】図３に於いて、ガタツキ防止部材の開き角度や可動部材の前進位置を示す概略断面図（下方から見ている）。
【図５】フロント側から見た説明図。
【図６】図６の（ａ）は入力片の正面図、（ｂ）は斜視図。
【図７】図７の（ａ）、（ｂ）、（ｃ）は、ガタツキ防止部材１２の一例（例えば第１ガタツキ防止部材１２ａ）を示す各概略説明図である。
【図８】施錠時における概略断面図（特に、施錠状態の２）。
【図９】図８に於いて、ガタツキ防止部材の開き角度や可動部材の前進位置を示す概略断面図。
【図１０】解錠途中状態から完全解錠状態における可動部材（例えば可動ベース板２１）の後退位置をそれぞれ示す図３と同様の説明図。
【図１１】可動ベース板の概略説明図。
【図１２】錠箱の一側壁（他側壁も同じ）の概略説明図。
【図１３】可動部材を構成するホルダーの斜視図。
【図１４】可動部材を構成する水平支持板の斜視図。
【図１５】図１５（ａ）は入力片に直接係合する第１のストッパー、（ｂ）は第１のストッパーを介して入力片１１に間接的に係合する第２のストッパーの各概略説明図。
【図１６】ガタツキ防止部材の第２実施例であり、図１６の（ａ）、（ｂ）、（ｃ）は、ガタツキ防止部材１２の一例（例えば第１ガタツキ防止部材１２ａ）を示す各概略説明図である。
【符号の説明】
【００６４】
Ｘ…電気錠、Ｙ…ガタツキ防止装置、１…錠箱、６…デッドボルト、７…フロント、８…受け金具、８ａ、８ｂ…受止面、１１…突出入力片、１１ｃ…突出端部、１２…ガタツキ防止部材、１３…前入力部（係合部）、１４…後入力部（係合部）、１５…ガタツキ防止部材用の付勢手段（バネ部材）、１８…垂直軸（突起軸）、１９ａ、１９ｂ…連続する被係合部、２０…内端部の仕切り壁、２１…可動部材（可動ベース板）、２１ａ…第１可動ベース板、２１ｂ…第２可動ベース板、２６…軸部（軸孔）、２８…横軸、３１…可動部材（施錠片用ホルダー）、３２…差込み突起、３３…ガイド切欠、３４…ストッパー用ガイド切欠、３５…可動部材（水平支持板）、４１，４１Ａ…ストッパー、４４…第１被係合部、４５…ストッパー部（係合部分）、４６…突出部分、４６ａ…第２被係合部、４８…ストッパー用の付勢手段、４９…可動部材戻し用の付勢手段、５０…固定軸、５１…係止手段、Ｏ、Ｏ１…中心線。
【図１】
2008121276.tif 000003
【図２】
2008121276.tif 000004
【図３】
2008121276.tif 000005
【図４】
2008121276.tif 000006
【図５】
2008121276.tif 000007
【図６】
2008121276.tif 000008
【図７】
2008121276.tif 000009
【図８】
2008121276.tif 000010
【図９】
2008121276.tif 000011
【図１０】
2008121276.tif 000012
【図１１】
2008121276.tif 000013
【図１２】
2008121276.tif 000014
【図１３】
2008121276.tif 000015
【図１４】
2008121276.tif 000016
【図１５】
2008121276.tif 000017
【図１６】
2008121276.tif 000018